(57)【要約】本発明によれば、複数の開閉装置（１）の電流供給のための多相の母線システムにおいて、母線（６）を有する少なくとも１つの第１の母線ブロック（２）および第２のい母線ブロック（３）を有し、第１の母線ブロック（２）の母線（６）が複数の固定的に取付けられた給電端子（５）と、多相接続プラグ（４）を用いて第２の母線ブロック（３）と電気的に接続されている。
2005533469.tif 000002
【特許請求の範囲】
【請求項１】
複数の開閉装置（１）の電力供給のための多相母線システムにおいて、母線（６）を有する少なくとも１つの第１の母線ブロック（２）および第２の母線ブロック（３）を有し、第１の母線ブロック（２）の母線（６）が複数の固定的に取付けられた給電端子（５）と、また多極接続プラグ（４）を用いて第２の母線ブロック（３）の母線（６）と電気的に接続されていることを特徴とする多相母線システム。
【請求項２】
少なくとも母線ブロック（２、３）の自由端の１つに別の母線ブロック（７、８）が別の接続プラグ（４）を用いて接続されていることを特徴とする請求項１記載の多相母線システム。
【請求項３】
接続プラグ（４）が、相あたり少なくとも４つのリラ接点（１５）を有する二重リラ接続プラグとして構成されており、それらのうち２つが第１の母線ブロック（２）の母線（６）の１つと、また他の２つが第２の母線ブロック（３）の向かい合う母線（６）と接触することを特徴とする請求項１または２記載の多相母線システム。
【請求項４】
母線ブロック（２、３、７、８）がそれぞれ、複数の開閉装置（１）の機械的な適合のために用いられる取付ソケット（９）により保持されていることを特徴とする請求項１ないし３のいずれか１つに記載の多相母線システム。
【請求項５】
給電端子がケージクランプばね端子（５）として構成されていることを特徴とする請求項１ないし４のいずれか１つに記載の多相母線システム。
【請求項６】
母線ブロック（２、３、７、８）が、ケージクランプばね端子（１１）として構成され且つ開閉装置（１）の端子（１２）との電気的接続に用いられる端子を有することを特徴とする請求項１ないし５のいずれか１つに記載の多相母線システム。
【発明の詳細な説明】
【技術分野】
【０００１】
本発明は複数の開閉装置の電力供給のための多相母線システムに関するものである。
【０００２】
ケージクランプばね端子技術を有する電力開閉器における母線システムを介しての電流供給のためには、従来ラインアップ端子が分離した給電端子として使用される。ラインアップ端子から電流が導体により母線システムに導かれ、そこから個々の電力開閉器または開閉装置に対する取り出しが可撓性の導体により行われる。たとえばこのような母線システムにより４つの分岐路が給電され、また４つの別の分岐路が並列に等しい給電により補われるべき場合には、それは、母線の電流が第４の電力開閉器の端子を介して導かれることによってのみ可能である。
【０００３】
従って本発明の課題は、冒頭にあげたような多相母線システムを改良し、別の開閉装置を接続するための拡張を簡単に可能にすることにある。
【０００４】
この課題は、複数の開閉装置の電力供給のための多相母線システムにおいて、母線を有する少なくとも１つの第１および第２の母線ブロックを有し、第１の母線ブロックの母線が複数の固定的に取付けられた給電端子と、また多極接続プラグを用いて第２の母線ブロックの母線と電気的に接続されていることにより解決される。
【０００５】
これは、ただ１つの電流供給個所により複数の分岐路または開閉装置に電流供給することができ、その際制限は給電個所における給電端子の和電流により与えられていることを意味する。
【０００６】
本発明の有利な実施形態では、少なくとも母線ブロックの自由端の１つに別の母線ブロックが別の接続プラグを用いて接続されている。
【０００７】
別の有利な実施形態では、接続プラグが、相あたり少なくとも４つのリラ接点を有する二重リラ接続プラグとして構成されており、それらのうち２つが第１の母線ブロックの母線の１つと、また他の２つが第２の母線ブロックの向かい合う母線と接触する。このようにしてわずかな接触抵抗の確実な電力供給が可能である。
【０００８】
本発明の別の有利な実施形態は別の従属請求項にあげられている。
【０００９】
本発明の実施例を以下に図面により詳細に説明する。
【００１０】
図１には開閉装置１の電力供給のため本発明による多相母線システムが示されている。この母線システムは第１の多相母線ブロック２および第２の多相母線ブロック３を有し、これらの母線ブロックはそれぞれ開閉装置１の上に配置され、多極接続プラグ４により互いに電気的に接続されている。母線ブロック２には複数の給電端子５を有する給電個所が固定的に取付けられ、母線ブロック２の各母線６と付属の給電端子５との間にわずかなオーム抵抗しか生じないようになっている。その結果、作動中にわずかな通電損失しか生じない。
【００１１】
多極接続プラグ４は、相あたり４つの電気的に互いに接続されているリラ接点１５を有する二重リラ接続プラグとして構成されている。リラ接点１５のうち２つは第１の母線ブロック２の母線６の１つと、また他の２つは第２の母線ブロック３の向かい合う母線と接触する。両母線ブロック２、３の自由端には、図１に示されているように、多極接続プラグ４により別の母線ブロック７、８が接続可能である。その場合可能な開閉装置１の数は許容合計電流により制限され、この許容合計電流について給電個所を有する母線システムは大きさを定められている。
【００１２】
図２には母線ブロック２及び開閉装置１の給電端子５の範囲における断面図が示されている。３つの母線６を有する母線ブロック２および固定的に取付けられている給電端子５が取付ブロック９により保持されている。母線ブロック２に属する取付ブロック９の上に、図１によれば３つの開閉装置１がトップハットレール式取付によりスナップオンされており、そのうち図２中には断面表示のためにただ１つが見られる。
【００１３】
母線６から、一方では各給電端子５へ、また他方では開閉装置１の端子１２との電気的接続に用いられる母線ブロック２内部の端子１１へ、それぞれ通しの導電性接続１０が存在している。給電端子５及び端子１１、１２はすべてケージクランプばね端子として構成されている。もちろん、開閉装置１にねじ接続技術を使用することも可能である。この場合には通常個別導体により開閉装置への３極電気的接続が行われる。電圧がかかっている状態でねじ接続技術により開閉装置を分解する際には、安全上の理由から先ず母線に対する導体が絶縁されたねじ回しにより離されなければならない。
【００１４】
端子１１と１２との間の電気的接続は、別の接続プラグ１３を介して簡単なコネクタ接続を用いて行われる。ケージクランプばね端子５を介して導体１４を用いて外部から電力供給が行われる。
【００１５】
図３には図１による母線システムが両母線ブロック２、３の接続の範囲で示されている。図３で、既に図２から知られている構成要素にはそこで使用された参照符号が付されている。繰り返しを避けるため、以下には図２に示したものと相違する点のみを説明する。上記のように両母線ブロック２、３の電気的接続のために母線６の各々に対してリラ接点１５を有する接続プラグ４が設けられている。
【００１６】
給電端子有り又は給電端子無しの母線ブロックの実現により、各任意の数の分岐路または開閉装置１を組み立てることが可能である。
・簡単な例
４ｋＷ電力を有する４分岐路；次のものが必要となる。
−１×給電端子有りの４母線ブロック
・極端な例
1.5kW電力を有する18分岐路；次のものが必要となる。
−１×給電端子有りの４母線ブロック
−２×給電端子無しの４母線ブロック
−２×給電端子無しの３母線ブロック
−４×二重リラ接点を有する接続プラグ
【図面の簡単な説明】
【００１７】
【図１】複数の開閉装置の電力供給のための本発明による多相母線システムの正面図。
【図２】図１による母線システムの給電個所の範囲における断面図。
【図３】図１による母線システムの２つの母線ブロックの接続範囲における断面図。
【符号の説明】
【００１８】
１  開閉装置
２  第１の母線ブロック
３  第２の母線ブロック
４  接続プラグ
５  給電端子
６  母線
７  母線ブロック
８  母線ブロック
９  取付ブロック
１０  導電性接続
１１  端子
１２  端子
１３  接続プラグ
１４  導体
１５  リラ接点
【図１】
2005533469.tif 000003
【図２】
2005533469.tif 000004
【図３】
2005533469.tif 000005
【国際調査報告】
2005533469.tif 000006
2005533469.tif 000007
2005533469.tif 000008
2005533469.tif 000009